(57)【特許請求の範囲】
【請求項１】
無線通信システムにおいて移動性管理エンティティー（Ｍｏｂｉｌｉｔｙ  Ｍａｎａｇｅｍｅｎｔ  Ｅｎｔｉｔｙ、ＭＭＥ）の短文メッセージ伝送制御方法において、
前記移動性管理エンティティーが端末に対する短文メッセージを伝達することができるか否かを判断する段階と；
伝達することができる場合、前記短文メッセージを前記移動性管理エンティティーにルーティングさせるための情報を含む登録メッセージをホーム加入者サーバー（Ｈｏｍｅ  Ｓｕｂｓｃｒｉｂｅｒ  Ｓｅｒｖｅｒ、ＨＳＳ）に伝送する段階と；
前記ホーム加入者サーバーから前記端末がパケット交換サービス及び短文メッセージサービスを提供されるという情報を含む加入情報を受信する段階と；を含むことを特徴とする短文メッセージ伝送制御方法。
【請求項２】
前記移動性管理エンティティーが前記短文メッセージを伝達することができる場合、ＶＬＲ（Ｖｉｓｉｔｏｒ  Ｌｏｃａｔｉｏｎ  Ｒｅｇｉｓｔｅｒ）又はＭＳＣ（Ｍｏｂｉｌｅ  Ｓｗｉｔｃｈｉｎｇ  Ｃｅｎｔｅｒ）に対して位置アップデートを行わず、
前記移動性管理エンティティーが前記短文メッセージを伝達することができない場合、前記ＶＬＲ又は前記ＭＳＣに対して位置アップデートを行うことを特徴とする請求項１に記載の短文メッセージ伝送制御方法。
【請求項３】
前記端末にＬＡＩ（Ｌｏｃａｔｉｏｎ  Ａｒｅａ  Ｉｄｅｎｔｉｆｉｃａｔｉｏｎ）及びＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）のうち少なくとも１つを伝送する段階をさらに含むことを特徴とする請求項１に記載の短文メッセージ伝送制御方法。
【請求項４】
前記登録メッセージは、
位置アップデート（Ｌｏｃａｔｉｏｎ  Ｕｐｄａｔｅ）要請メッセージであることを特徴とする請求項１に記載の短文メッセージ伝送制御方法。
【請求項５】
前記登録メッセージは、
前記移動性管理エンティティーのアドレス情報を含むことを特徴とする請求項１に記載の短文メッセージ伝送制御方法。
【請求項６】
無線通信システムにおいてホーム加入者サーバー（Ｈｏｍｅ  Ｓｕｂｓｃｒｉｂｅｒ  Ｓｅｒｖｅｒ、ＨＳＳ）の短文メッセージ伝送制御方法において、
端末に対する短文メッセージを移動性管理エンティティー（Ｍｏｂｉｌｉｔｙ  Ｍａｎａｇｅｍｅｎｔ  Ｅｎｔｉｔｙ、ＭＭＥ）にルーティングさせるための情報を含む登録メッセージを前記移動性管理エンティティーから受信する段階と；
前記端末がパケット交換サービス及び短文メッセージサービスを提供されるという情報を含む加入情報を前記移動性管理エンティティーに伝送する段階と；
短文メッセージゲートウェイから、前記端末に対する短文メッセージのルーティング情報を要請するための要請メッセージを受信する段階と；
前記端末に対する短文メッセージをルーティングする前記移動性管理エンティティーに対する情報を前記短文メッセージゲートウェイに伝送する段階と；を含むことを特徴とする短文メッセージ伝送制御方法。
【請求項７】
前記登録メッセージは、
位置アップデート（Ｌｏｃａｔｉｏｎ  Ｕｐｄａｔｅ）要請メッセージであることを特徴とする請求項６に記載の短文メッセージ伝送制御方法。
【請求項８】
前記登録メッセージは、
前記移動性管理エンティティーのアドレス情報を含むことを特徴とする請求項６に記載の短文メッセージ伝送制御方法。
【請求項９】
無線通信システムで短文メッセージ伝送を制御する移動性管理エンティティー（Ｍｏｂｉｌｉｔｙ  Ｍａｎａｇｅｍｅｎｔ  Ｅｎｔｉｔｙ、ＭＭＥ）において、
信号を送信及び受信する送受信部と；
前記移動性管理エンティティーが端末に対する短文メッセージを伝達することができるか否かを判断し、伝達することができる場合、前記短文メッセージを前記移動性管理エンティティーにルーティングさせるための情報を含む登録メッセージをホーム加入者サーバー（Ｈｏｍｅ  Ｓｕｂｓｃｒｉｂｅｒ  Ｓｅｒｖｅｒ、ＨＳＳ）に伝送し、前記ホーム加入者サーバーから前記端末がパケット交換サービス及び短文メッセージサービスを提供されるという情報を含む加入情報を受信するように制御する制御部と；を含むことを特徴とする移動性管理エンティティー。
【請求項１０】
前記制御部は、
前記移動性管理エンティティーが前記短文メッセージを伝達することができる場合、ＶＬＲ（Ｖｉｓｉｔｏｒ  Ｌｏｃａｔｉｏｎ  Ｒｅｇｉｓｔｅｒ）又はＭＳＣ（Ｍｏｂｉｌｅ  Ｓｗｉｔｃｈｉｎｇ  Ｃｅｎｔｅｒ）に対して位置アップデートを行わず、
前記移動性管理エンティティーが前記短文メッセージを伝達することができない場合、前記ＶＬＲ又は前記ＭＳＣに対して位置アップデートを行うように制御することを特徴とする請求項９に記載の移動性管理エンティティー。
【請求項１１】
前記制御部は、
前記端末にＬＡＩ（Ｌｏｃａｔｉｏｎ  Ａｒｅａ  Ｉｄｅｎｔｉｆｉｃａｔｉｏｎ）及びＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）のうち少なくとも１つを伝送するように制御することを特徴とする請求項９に記載の移動性管理エンティティー。
【請求項１２】
前記登録メッセージは、
位置アップデート（Ｌｏｃａｔｉｏｎ  Ｕｐｄａｔｅ）要請メッセージであることを特徴とする請求項９に記載の移動性管理エンティティー。
【請求項１３】
前記登録メッセージは、
前記移動性管理エンティティーのアドレス情報を含むことを特徴とする請求項９に記載の移動性管理エンティティー。
【請求項１４】
無線通信システムで短文メッセージを伝送するホーム加入者サーバー（Ｈｏｍｅ  Ｓｕｂｓｃｒｉｂｅｒ  Ｓｅｒｖｅｒ、ＨＳＳ）において、
信号を送信及び受信する送受信部と；
端末に対する短文メッセージを移動性管理エンティティー（Ｍｏｂｉｌｉｔｙ  Ｍａｎａｇｅｍｅｎｔ  Ｅｎｔｉｔｙ、ＭＭＥ）にルーティングさせるための情報を含む登録メッセージを前記移動性管理エンティティーから受信し、前記端末がパケット交換サービス及び短文メッセージサービスを提供されるという情報を含む加入情報を前記移動性管理エンティティーに伝送し、短文メッセージゲートウェイから前記端末に対する短文メッセージのルーティング情報を要請するための要請メッセージを受信し、前記端末に対する短文メッセージをルーティングする前記移動性管理エンティティーに対する情報を前記短文メッセージゲートウェイに伝送するように制御する制御部と；を含むことを特徴とするホーム加入者サーバー。
【請求項１５】
前記登録メッセージは、
位置アップデート（Ｌｏｃａｔｉｏｎ  Ｕｐｄａｔｅ）要請メッセージであることを特徴とする請求項１４に記載のホーム加入者サーバー。
【請求項１６】
前記登録メッセージは、
前記移動性管理エンティティーのアドレス情報を含むことを特徴とする請求項１４に記載のホーム加入者サーバー。
【発明の詳細な説明】
【技術分野】
【０００１】
本発明は、無線通信システムに関し、より具体的に、ユーザ端末が短文メッセージ（ＳＭＳ）を回線交換（Ｃｉｒｃｕｉｔ  ｓｗｉｔｃｈｅｄ、ＣＳ）網の介入なしにパケット交換（Ｐａｃｋｅｔ  Ｓｗｉｔｃｈｅｄ、ＰＳ）網だけを通じて送受信することができるようにする方法及び装置に関する。
【背景技術】
【０００２】
一般的に、移動通信システムは、ユーザの活動性を保障しながら音声サービスを提供するために開発された。しかし、移動通信システムは、次第に音声のみならず、データサービスまで領域を拡張しており、現在では、高速のデータサービスを提供することができる程度まで発展した。しかし、現在サービスが提供されている移動通信システムでは、資源の不足現象及びユーザがさらに高速のサービスを要求するので、さらに発展した移動通信システムが要求されている。
【０００３】
一方、短文メッセージ（Ｓｈｏｒｔ  Ｍｅｓｓａｇｅ  Ｓｅｒｖｉｃｅ、ＳＭＳ）サービスは、回線交換（Ｃｉｒｃｕｉｔ  ｓｗｉｔｃｈｅｄ、ＣＳ）ドメインを通じて提供されてきた。このようなシステムの一例として、図１は、３ＧＰＰ  ＬＴＥ（Ｌｏｎｇ  Ｔｅｒｍ  Ｅｖｏｌｕｔｉｏｎ）システムでユーザ端末にＭＴ（Ｍｏｂｉｌｅ  Ｔｅｒｍｉｎａｔｉｎｇ）ＳＭＳを伝達する方法を示している。
【０００４】
図１は、従来、システムでＣＳネットワークのヘルプ下でＳＭＳを伝達する過程を示す図である。
【０００５】
図１に示されたように、ＳＭＳ−ＳＣ（Ｓｈｏｒｔ  Ｍｅｓｓａｇｅ  Ｓｅｒｖｉｃｅ−Ｓｅｒｖｉｃｅ  Ｃｅｎｔｅｒ）１１０（または、短文メッセージサービスセンター）に伝達されたＳＭＳは、Ｓ１０１段階で、ＳＭＳ−ＧＭＳＣ（ＳＭＳ  Ｇａｔｅｗａｙ  ＭｏｂｉｌｅＳｗｉｔｃｈｉｎｇ  Ｃｅｎｔｅｒ）１２０（または、短文メッセージゲートウェイ）に伝達される。
【０００６】
その場合に、ＳＭＳ−ＧＭＳＣ  １２０は、Ｓ１０３段階で、受信ＵＥが属する網を捜すために、ＨＬＲ（Ｈｏｍｅ  Ｌｏｃａｔｉｏｎ  Ｒｅｇｉｓｔｅｒ）１３０（または、ホーム位置登録所）に受信者番号でルーティング要請をする。
【０００７】
ＨＬＲ  １３０は、Ｓ１０３段階で、自分のデータベースを検索し、当該受信者番号を有するＵＥが属するＶＬＲ（Ｖｉｓｉｔｏｒ  Ｌｏｃａｔｉｏｎ  Ｒｅｇｉｓｔｅｒ）１４０（または訪問者位置登録所）の番号を通知する。ＳＭＳ−ＧＭＳＣ  １２０は、ＨＬＲ  １３０から得たＶＬＲ  １４０の番号を利用して、Ｓ１０５段階で、ＵＥが現在属するＶＬＲ  １４０を知るようになり、当該ＶＬＲ  １４０にメッセージをフォワーディングする。
【０００８】
次に、ＶＬＲ  １４０は、Ｓ１０７段階で、受信したメッセージをＭＭＥ  １５０に伝達し、この際、メッセージの受信者ＩＤを受信者番号（Ｍｏｂｉｌｅ  Ｓｔａｔｉｏｎ  Ｉｎｔｅｒｎａｔｉｏｎａｌ  ＩＳＤＮ  Ｎｕｍｂｅｒ、ＭＳＩＳＤＮ）からＣＳ網で使用するＩＤであるＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）に変換する。
【０００９】
ＭＭＥ  １５０は、Ｓ１０９段階で、ＴＭＳＩを利用してＰＳ網で使用されるＩＤであるＳ−ＴＭＳＩ（ＳＡＥ−Ｔｅｍｐｏｒａｒｙ  Ｍｏｂｉｌｅ  Ｓｕｂｓｃｒｉｂｅｒ  Ｉｄｅｎｔｉｔｙ）を捜し、捜したＳ−ＴＭＳＩで識別されるＵＥにメッセージを伝達する。
【００１０】
一方、ＬＴＥ（Ｌｏｎｇ  Ｔｅｒｍ  Ｅｖｏｌｕｔｉｏｎ）は、ＰＳデータ伝送のために最適化された網であって、基本的にユーザ端末（ＵＥ）は、ＰＳ網で登録（ａｔｔａｃｈ／ｒｅｇｉｓｔｒａｔｉｏｎ）することが一般的である。しかし、前述した図１に示されたように、ＰＳ網を使用する端末でさえ、ＳＭＳ伝送のためにＣＳ網の一部のノードであるＶＬＲ／ＭＳＣ１４０を利用しなければならないことが分かる。
【００１１】
スマートフォンなどによるデータ伝送中心のトラフィックのためにＬＴＥ網を導入した事業者と、音声サービスをＣＳ網ではないＬＴＥ網でＶｏＩＰ（Ｖｏｉｃｅ  Ｏｖｅｒ  ＩＰ）を利用して提供する事業者にとって、ただＳＭＳサービスのみのためにＶＬＲ／ＭＳＣ  １４０のようなＣＳ網のノードを維持、補修することは、大きい負担として作用するおそれがある。
【００１２】
したがって、事業者は、ＭＳＣ  １４０なしに、すなわちＣＳインフラなしにユーザにＰＳ網だけを通じてＳＭＳを提供する機能を提供する方法に関する研究が必要であることが実情である。
【発明の概要】
【発明が解決しようとする課題】
【００１３】
本発明は、前述したような問題点を解決するためになされたものであって、その目的は、ＶＬＲ／ＭＳＣのようなＣＳ網のインフラなしにユーザにＰＳ網だけを通じてＳＭＳを提供することができる方法及び装置を提供することにある。
【課題を解決するための手段】
【００１４】
本発明の実施例によるシステムにおいてＳＭＳ伝達機能を有する新しい形態のＭＭＥ（ＳＭＳ  ｅｎａｂｌｅｄ  ＭＭＥ）は、ＳＭＳをＣＳ網のノードなしに送受信し、このためのユーザ登録、移動性管理を処理することを特徴とする。
【００１５】
本発明の実施例によるシステムにおいてユーザ加入情報を収納しているＨＳＳ／ＨＬＲやＵＥ自身は、ＭＭＥにユーザがＰＳ  ｏｎｌｙ加入者であり、これは、ＰＳデータサービスとＳＭＳサービスを希望することを通知し、ＭＭＥは、この情報を活用して自分がＣＳ網のヘルプなしにＳＭＳを伝達することができる機能を使用することができたら、ＳＭＳ伝達のための端末の登録と移動性管理を直接処理し、それとも、ＣＳ網のノードと相互連動して処理することを特徴とする。
【００１６】
より具体的に、前記のような問題点を解決するための本発明の無線通信システムにおいて移動性管理エンティティー（Ｍｏｂｉｌｉｔｙ  Ｍａｎａｇｅｍｅｎｔ  Ｅｎｔｉｔｙ、ＭＭＥ）の短文メッセージ伝送制御方法は、ホーム加入者サーバー（Ｈｏｍｅ  Ｓｕｂｓｃｒｉｂｅｒ  Ｓｅｒｖｅｒ、ＨＳＳ）から端末に対するユーザ加入情報を受信する段階と、前記移動性管理エンティティーが前記端末に対する短文メッセージをパケット交換網を通じて伝達することができるか否かを判断する段階と、伝達可能時に、前記短文メッセージを前記移動性管理エンティティーにルーティングさせるための情報を含む登録メッセージを前記ホーム加入者サーバーに伝送する段階とを含むことを特徴とする。
【００１７】
また、本発明の無線通信システムにおいてホーム加入者サーバー（Ｈｏｍｅ  Ｓｕｂｓｃｒｉｂｅｒ  Ｓｅｒｖｅｒ、ＨＳＳ）の短文メッセージ伝送制御方法は、移動性管理エンティティー（Ｍｏｂｉｌｉｔｙ  Ｍａｎａｇｅｍｅｎｔ  Ｅｎｔｉｔｙ、ＭＭＥ）に端末に対するユーザ加入情報を伝送する段階と、前記端末に対する短文メッセージを前記移動性管理エンティティーにルーティングさせるための情報を含む登録メッセージを前記移動性管理エンティティーから受信する段階と、短文メッセージゲートウェイから、前記端末に対する短文メッセージのルーティング情報を要請するための要請メッセージを受信する段階と、前記端末に対する短文メッセージをルーティングする移動性管理エンティティーに対する情報を前記短文メッセージゲートウェイに伝送する段階とを含むことを特徴とする。
【００１８】
また、本発明の無線通信システムにおいて端末の位置アップデート実行方法は、登録要請メッセージを移動性管理エンティティーに伝送する段階と、前記移動性管理エンティティーが前記端末に対する短文メッセージをパケット交換網を通じて伝達することができる場合、前記移動性管理エンティティーから端末識別子と位置区分識別子を含む登録要請応答メッセージを受信する段階と、前記端末が任意のネットワークに移動するとき、前記移動したネットワークから放送されるシステム情報を受信する段階と、前記システム情報に含まれた位置区分識別子を利用して位置アップデートを行う段階とを含み、前記移動性管理エンティティーから受信した端末識別子と位置区分識別子は、前記移動したネットワークで放送されるものとは異なることを特徴とする。
【００１９】
また、本発明の無線通信システムにおいて短文メッセージ伝送を制御する移動性管理エンティティー（Ｍｏｂｉｌｉｔｙ  Ｍａｎａｇｅｍｅｎｔ  Ｅｎｔｉｔｙ、ＭＭＥ）は、前記無線通信システムに位置する任意のノードと信号を送受信するインターフェース部と、ホーム加入者サーバー（Ｈｏｍｅ  Ｓｕｂｓｃｒｉｂｅｒ  Ｓｅｒｖｅｒ、ＨＳＳ）から端末に対するユーザ加入情報を受信し、前記移動性管理エンティティーが前記端末に対する短文メッセージをパケット交換網を通じて伝達することができるか否かを判断し、伝達可能時に前記短文メッセージを前記移動性管理エンティティーにルーティングさせるための情報を含む登録メッセージを前記ホーム加入者サーバーに伝送するように制御する制御部とを含むことを特徴とする。
【００２０】
また、本発明の無線通信システムにおいて短文メッセージを伝送するホーム加入者サーバー（Ｈｏｍｅ  Ｓｕｂｓｃｒｉｂｅｒ  Ｓｅｒｖｅｒ、ＨＳＳ）は、前記無線通信システムに位置する任意のノードと信号を送受信するインターフェース部と、移動性管理エンティティー（Ｍｏｂｉｌｉｔｙ  Ｍａｎａｇｅｍｅｎｔ  Ｅｎｔｉｔｙ、ＭＭＥ）に端末に対するユーザ加入情報を伝送し、前記端末に対する短文メッセージを前記移動性管理エンティティーにルーティングさせるための情報を含む登録メッセージを前記移動性管理エンティティーから受信し、短文メッセージゲートウェイから前記端末に対する短文メッセージのルーティング情報を要請するための要請メッセージを受信し、前記端末に対する短文メッセージをルーティングする移動性管理エンティティーに対する情報を前記短文メッセージゲートウェイに伝送するように制御する制御部とを含むことを特徴とする。
【００２１】
また、本発明の無線通信システムにおいて位置アップデートを行う端末は、前記無線通信システムに位置する任意のノードと信号を送受信する無線通信部と、登録要請メッセージを移動性管理エンティティーに伝送し、前記移動性管理エンティティーが前記端末に対する短文メッセージをパケット交換網を通じて伝達することができる場合、前記移動性管理エンティティーから端末識別子と位置区分識別子を含む登録要請応答メッセージを受信し、前記端末が任意のネットワークに移動する時に前記移動したネットワークから放送されるシステム情報を受信し、前記システム情報に含まれた位置区分識別子を利用して位置アップデートを行うように制御する制御部とを含み、前記移動性管理エンティティーから受信した端末識別子と位置区分識別子は、前記移動したネットワークで放送されるものとは異なることを特徴とする。
【発明の効果】
【００２２】
本発明の実施例によれば、事業者ＰＳ網は、ＣＳ網ノードのヘルプなしにユーザ端末にＳＭＳを効率的に伝達することができる。これにより、事業者は、ＳＭＳサービスのためにＣＳ網ノードを維持する必要がなく、ネットワークとユーザ端末は、ＰＳとＣＳ状態情報を同時に維持し管理するための負担を減らすことができる。
【図面の簡単な説明】
【００２３】
【図１】従来のシステムにおいてＣＳ網のヘルプを受けてＳＭＳを伝送する過程を示す図である。
【図２】本発明の実施例によってＰＳ網を通じてＳＭＳを伝達することができないときにユーザ登録（ａｔｔａｃｈ）を処理する過程を示す図である。
【図３】本発明の実施例によってＰＳ網を通じてＳＭＳを伝達することができるときにユーザ登録（ａｔｔａｃｈ）を処理する過程を示す図である。
【図４】本発明の実施例によってＰＳ網を通じてＳＭＳを伝達することができるときにユーザ登録（ａｔｔａｃｈ）を処理する過程を示す図である。
【図５Ａ】本発明の実施例による図４の過程が独立的に行われることができることを示す図である。
【図５Ｂ】本発明の実施例による図４の過程が独立的に行われることができることを示す図である。
【図５Ｃ】本発明の実施例による図４の過程が独立的に行われることができることを示す図である。
【図６】本発明の実施例による端末の動作手順を示す流れ図である。
【図７】本発明の実施例によってＰＳ網を通じてＳＭＳを伝達することができるときにユーザ位置更新（ＴＡＵ；Ｔｒａｃｋｉｎｇ  Ａｒｅａ  Ｕｐｄａｔｅ）を処理する過程を示す図である。
【図８】本発明の実施例によるＭＭＥの内部構造を示すブロック図である。
【図９】本発明の実施例によるＨＳＳの内部構造を示すブロック図である。
【図１０】本発明の実施例による端末の内部構造を示すブロック図である。
【発明を実施するための形態】
【００２４】
以下、本発明を説明するに際して、関連した公知機能または構成に対する具体的な説明が本発明の要旨を不明にする可能性があると判断される場合には、その詳細な説明を省略する。以下、添付の図面を参照して本発明の実施例を説明する。
【００２５】
なお、本発明の実施例を具体的に説明するに際して、３ＧＰＰ  ＬＴＥシステムを主な対象とするが、本発明の主な要旨は、類似の技術的背景及びシステム形態を有するその他の通信／コンピュータシステムにも本発明の範囲を大きく逸脱しない範囲で少しの変形で適用可能であり、これは、本発明の技術分野における熟練された技術的知識を有する者の判断により可能だろう。例えば、本発明は、本発明で説明するＵＥは、類似の通信機能を有する端末に、ＭＭＥは、ＰＳデータ伝送と関連した制御機能を有するネットワークノードに、ＭＳＣは、ＣＳデータ伝送と関連した制御機能を有するネットワークノードに、ＨＳＳ／ＨＬＲは、ユーザ加入情報及び位置を格納するデータベースノードに対応して適用されることができる。
【００２６】
なお、本発明の実施例を具体的に説明するに際して、主にＭｏｂｉｌｅ  Ｔｅｒｍｉｎａｔｉｎｇ  ＳＭＳを中心として説明するが、本発明の主な要旨は、Ｍｏｂｉｌｅ  Ｏｒｉｇｉｎａｔｉｏｎ  ＳＭＳまたは他のスモールデータ伝送サービス（ｓｍａｌｌ  ｄａｔａ  ｔｒａｎｓｍｉｓｓｉｏｎ  ｓｅｒｖｉｃｅｓ）の場合にも、本発明の範囲を大きく逸脱しない範囲で少しの変形で適用可能であり、これは、本発明の技術分野における熟練された技術的知識を有する者の判断で可能だろう。
【００２７】
図２は、本発明の実施例によってＰＳネットワークを通じてＳＭＳ伝達を支援しないシステムでの接続（ａｔｔａｃｈ）手続を示す図である。例えば、図２は、本発明の一実施例によってＳＭＳがＣＳ網の介入なしにＰＳ網を通じてユーザ端末に伝達される過程及びそのためのネットワーク構成を示す図である。
【００２８】
まず、ＳＭＣ−ＳＣ  ２１０は、Ｓ２０１段階で、ＳＭＳ−ＧＭＳＣ  ２２０にメッセージを伝達する。ＳＭＳ−ＧＭＳＣ  ２２０は、このメッセージを伝達するコアネットワークノードを探すために、Ｓ２０３段階で、ＨＳＳ／ＨＬＲ  ２３０に受信者番号でルーティング情報を要請する。
【００２９】
その場合に、ＨＳＳ／ＨＬＲ  ２３０は、従来、ＣＳ網に位置するＶＬＲ／ＭＳＣ情報を通知したこととは異なって、本発明の実施例では、ＵＥが登録されたＳＭＳ  ｅｎａｂｌｅｄ  ＭＭＥ  ２４０に対する情報（例えば、ＭＭＥ番号）を通知する。
【００３０】
次に、ＳＭＳ−ＧＭＳＣ  ２２０は、Ｓ２０５段階で、前記段階で受信したＭＭＥ番号を使用して当該ＭＭＥ  ２４０に短文メッセージをフォワーディングする。
【００３１】
そして、ＭＭＥ  ２４０は、Ｓ２０７段階で、メッセージの受信者番号とＵＥのＰＳ網識別子マッピングテーブルを参照してＵＥを捜してメッセージを伝達する。このために、ＭＭＥ２４０は、パケット交換網で使用される端末の識別子（Ｓ−ＴＭＳＩ）を含むダウンリンクＮＡＳ伝送メッセージを無線接続網（ＥＵＴＲＡＮ）２５０に伝達し、前記無線接続網２５０は、前記端末の識別子（Ｓ−ＴＭＳＩ）に対応するＴＭＳＩを利用して当該端末にメッセージを伝送する。
【００３２】
図１に示された既存の網構成とは異なって、図２に示された本発明の実施例による網構成では、ＳＭＳ−ＧＭＳＣ  ２２０がＭＭＥ  ２４０に直接ＳＭＳ１インターフェース（ＳＭＳ１  ｉｎｔｅｒｆａｃｅ）を通じてＳＭＳメッセージを伝達する。
【００３３】
図３及び図４は、本発明の実施例によってＵＥが事業者網に登録（ａｔｔａｃｈ／ｒｅｇｉｓｔｒａｔｉｏｎ）を試みる場合、ＵＥのパケット専用交換方式（ＰＳ  ｏｎｌｙ）加入可否とコアネットワークのＰＳ網を用いたＳＭＳ伝達機能具備可否による登録過程を行う手順を示す流れ図である。
【００３４】
この場合、図３は、事業者網がＰＳ網を通じてＳＭＳを伝達することができる機能を使用しない場合の処理過程を示し、図４は、事業者網がＰＳ網を通じてＳＭＳを伝達することができる機能を使用する場合の処理過程を示す。
【００３５】
まず、事業者網がＰＳ網のみを通じてＳＭＳを伝達することができる機能を使用しない場合の登録手続を示す図３について記述する。
【００３６】
図３を参照すれば、ＵＥ  ３１０は、Ｓ３０１段階で、事業者網からサービスを受けるために登録（ａｔｔａｃｈ）要請メッセージをＭＭＥ  ３２０に伝送する。この過程で、ＵＥ  ３１０は、まだ事業者網がＳＭＳをＰＳ網を通じて伝達することができるか否かが分からないので、ＰＳサービスとともに、従来のＣＳ網を通じてＳＭＳを受けるための登録過程と同一に併合接続（ｃｏｍｂｉｎｅｄ  ａｔｔａｃｈ）過程を行わなければならない。これにより、前記Ｓ３０１段階で伝送される登録要請メッセージは、ＰＳサービス及び可能なＣＳサービスに対する一般的な登録要請のための情報だけでなく、追加的にＵＥがＳＭＳサービスを受けることを希望するという情報を含むことができ、指示子（ｉｎｄｉｃａｔｏｒ）を通じてこのような情報が伝達されることができる。
【００３７】
登録過程で、ＭＭＥ  ３２０は、Ｓ３０３段階を通じて、ＨＳＳ／ＨＬＲ  ３３０からユーザ加入情報（ｓｕｂｓｃｒｉｐｔｉｏｎ）を受信する。前記加入者情報には、当該ユーザがＰＳサービスのために加入されたユーザであり、追加的にＳＭＳサービスを受けることを希望することを示す指示子（ｉｎｄｉｃａｔｏｒ）が含まれることができる。
【００３８】
ＭＭＥ  ３２０は、Ｓ３０３段階を通じて受信した指示子またはＳ３０１過程でＵＥから受信した情報を利用して、当該ＵＥ  ３１０がＰＳサービスのために加入され、もしネットワークが支援したら、ＰＳ網を通じてＳＭＳを伝達しなければならないことを認知することができる。
【００３９】
その場合に、ＭＭＥ  ３２０は、Ｓ３０５段階で、自分がＰＳ網にＳＭＳを伝達することができる機能を具備しているか否かを判断する。前記機能を具備しない場合、ＳＭＳは、従来のＣＳ網のノード、すなわちＶＬＲ／ＭＳＣ  ３４０のヘルプを受けて伝達されなければならない。これにより、ＭＭＥ  ３２０は、Ｓ３０７段階〜Ｓ３１３段階を通じてＶＬＲ／ＭＳＣとの相互連動を通じて従来の併合登録（ｃｏｍｂｉｎｅｄ  ａｔｔａｃｈ）過程をそのまま行う。
【００４０】
例えば、本発明の一実施例によれば、Ｓ３０７段階で、ＭＭＥ  ３２０は、ＳＭＳメッセージをルーティングさせるために、要請をＶＬＲ  ３４０にフォワーディングする。例えば、ＭＭＥ  ３２０は、ウォッチアップデート要請をＶＬＲ  ３４０にフォワーディングする。Ｓ３０８段階で、ＶＬＲ  ３４０は、ＳＭＳルーティングのために、ＶＬＲ  ３４０に相当するＶＬＲ番号をＨＳＳ／ＨＬＲ  ３３０に登録する。Ｓ３０９段階で、ＶＬＲ  ３４０は、確認メッセージをＭＭＥ  ３２０に伝送し、ＳＭＳルーティングが許与されたことを通知する。例えば、ＶＬＲ  ３４０は、ＬＵＡメッセージをＭＭＥ  ３２０に伝送する。Ｓ３１３段階で、ＭＭＥ  ３２０は、ＵＥ  ３１０に接続要請メッセージを許与するメッセージを伝送する。
【００４１】
次に、事業者網がＰＳ網だけを通じてＳＭＳを伝達することができる機能を使用する場合の登録手続について図４を参照して記述する。
【００４２】
図４は、本発明の一実施例によってＵＥが事業者網に登録（ａｔｔａｃｈ／ｒｅｇｉｓｔｒａｔｉｏｎ）を試みる場合、ＵＥがＰＳデータ及びＳＭＳサービスが必要であるか否かとコアネットワークのＰＳ網を用いたＳＭＳ伝達機能可否によって登録過程を行う過程を示す流れ図である。
【００４３】
ＵＥ  ４１０は、Ｓ４０１段階で、事業者網からサービスを受けるために登録（ａｔｔａｃｈ）要請メッセージをＭＭＥ  ４２０に伝送する。この場合、前記ＭＭＥ  ４２０は、ＰＳ網を通じてＳＭＳを伝送することができる機能を具備したＳＭ  Ｓｅｎａｂｌｅｄ  ＭＭＥである。前記過程で、ＵＥ  ４１０は、まだ事業者網がＳＭＳをＰＳ網を通じて伝達することができるか否かが分からないので、従来のＣＳ網を通じてＳＭＳを受けるための登録と同一に併合接続（ｃｏｍｂｉｎｅｄ  ａｔｔａｃｈ）過程を行わなければならない。これにより、前記Ｓ４０１段階で伝送される登録要請メッセージは、ＰＳサービス及び可能なＣＳサービスに対する一般的な登録要請のための情報だけでなく、追加的にＵＥがＳＭＳサービスを受けることを希望するという情報を含むことができ、指示子（ｉｎｄｉｃａｔｏｒ）を通じてこのような情報が伝達されることができる。
【００４４】
登録過程でＭＭＥ  ４２０は、Ｓ４０３段階を通じて、ＨＳＳ／ＨＬＲ  ４３０からユーザ加入情報（ｓｕｂｓｃｒｉｐｔｉｏｎ）を受信する。前記加入者情報には、当該ユーザがＰＳサービスのために加入されたユーザであり、追加的にＳＭＳサービスを受けることを希望することを示す指示子（ｉｎｄｉｃａｔｏｒ）が含まれる。
【００４５】
ＭＭＥ  ４２０は、前述したＳ４０３段階で受信した指示子（ｉｎｄｉｃａｔｏｒ）またはＳ４０１段階で受信した情報を利用して、ＵＥがＰＳサービスのために加入され、もしネットワークが支援したら、ＰＳ網を通じてＳＭＳを伝達しなければならないことを認知することができる。
【００４６】
その場合に、ＭＭＥ  ４２０は、Ｓ４０５段階で、自分がＰＳ網に（すなわち、ＰＳ網を通じて）ＳＭＳを伝達することができる機能を具備しているか否かを判断する。
【００４７】
もし、ＰＳ網にＳＭＳを伝達することができる機能を有すれば、ＭＭＥ  ４２０は、Ｓ４０７段階に進行し、ＳＭＳ−ＧＳＭＣのＳＭＳメッセージルーティングのためにＭＭＥ番号（または、アドレス）を割り当て、次いで、ＣＳ網に登録されるときに使用された識別子である端末識別子（例えば、ＴＭＳＩ）と位置区分識別子であるＬＡＩ（Ｌｏｃａｔｉｏｎ  ＡｒｅａＩｄｅｎｔｉｆｉｃａｔｉｏｎ）を割り当てる。
【００４８】
そして、ＭＭＥ  ４２０は、前記登録要請メッセージを伝送した端末４１０に対するＭＳＩＳＤＮに対応するＳ−ＴＭＳＩ、ＴＭＳＩを割り当て、これを下記の表１のようなマッピングテーブルを利用して格納する。前記マッピングテーブルは、登録要請メッセージを伝送するすべての端末に対して作成されることができる。
【００４９】
【表１】
0006414885.tif 000002
【００５０】
従来、ＴＭＳＩとＬＡＩが実際に使用されるために割り当てられ、ＵＥに伝達されるものとは異なって、本発明の実施例を示す図４でのＴＭＳＩとＬＡＩは、実際にメッセージ伝達のために使用されないことがある。むしろ、図４に示されたＴＭＳＩ及びＬＡＩは、端末が併合接続（ｃｏｍｂｉｎｅ  ａｔｔａｃｈ）を要請した場合、ＭＭＥから受信するように既に決定された情報（すなわち、端末識別子と位置区分識別子）をそのまま伝達することによって、プロトコル／具現の変化なしに新しい機能であるＳＭＳ  ｅｎａｂｌｅｄ  ＭＭＥを通じてメッセージを送受信することができるようにするためである。
【００５１】
一方、ＭＭＥ  ４２０は、Ｓ４０９段階で、図２の２０３過程で示されたメッセージルーティングが可能となるように割り当てたＭＭＥ情報（例えば、ＭＭＥ番号、またはアドレス）をＨＳＳ／ＨＬＲ  ４３０に登録する。
【００５２】
この際、ＭＭＥ  ４２０がＨＳＳ／ＨＬＲ  ４３０と行うユーザ登録過程は、ＭＭＥ  ４２０とＨＳＳ／ＨＬＲ  ４３０との間のインターフェース（ｉｎｔｅｒｆａｃｅ）であるＳＭＳ２（図２参照）を通じて直接行われる。その後、ＭＭＥ４２０は、Ｓ４１１段階で、ＵＥ  ４１０に登録要請が成功したことを通知し、この際、ＭＭＥ  ４２０が割り当てたＴＭＳＩとＬＡＩを一緒に伝送する。
【００５３】
一方、図４では、ＵＥ  ４１０が事業者網に登録（ａｔｔａｃｈ／ｒｅｇｉｓｔｒａｔｉｏｎ）を要請し、これにより、ＭＭＥ  ４２０とＨＳＳ  ４３０がＳＭＳルーティングを設定する一連の過程をＳ４０１段階〜Ｓ４１１段階を通じて示したが、各段階は、すべて独立的に行われることができる。
【００５４】
これを図５ａ、図５ｂ〜図５ｃを通じて図示した。
【００５５】
まず、図５ａは、ＭＭＥ  ５１０がＨＳＳ（またはＨＬＲ）５２０に伝送するメッセージに、ＳＭＳに対する受信経路に従来のＭＳＣ／ＶＬＲの代わりに自分を設定するように自分の情報（例えば、番号またはアドレス）を伝送する過程を示す図である。
【００５６】
ＭＭＥ  ５１０は、Ｓ５１０段階で、ＨＳＳ（またはＨＬＲ）５２０に登録メッセージを伝送し、ＳＭＳに対する受信経路を自分に設定する。前記ＭＭＥ  ５１０が伝送する登録メッセージは、ユーザ端末の位置を登録するか、または加入情報を要請するために使用されるメッセージであり、位置アップデート要請（Ｌｏｃａｔｉｏｎ  ｕｐｄａｔｅ  ｒｅｑｕｅｓｔ  ｏｒ  Ｕｐｄａｔｅ  Ｌｏｃａｔｉｏｎ  Ｒｅｑｕｅｓｔ）メッセージであることができる。
【００５７】
図５ｂは、ＨＳＳ（またはＨＬＲ）５２０がＭＭＥ  ５１０にユーザに対する加入情報のうち１つとしてＰＳ及びＳＭＳ  ｏｎｌｙ指示子（ｉｎｄｉｃａｔｏｒ）を含むメッセージを伝送する過程を示す図である。
【００５８】
ＨＳＳ（またはＨＬＲ）５２０は、Ｓ５２０段階で示されたように、ＰＳ及びＳＭＳ  ｏｎｌｙ指示子（ｉｎｄｉｃａｔｏｒ）を含むメッセージをＭＭＥ  ５１０に伝送する。ここで、前記ＰＳ及びＳＭＳ  ｏｎｌｙ指示子（ｉｎｄｉｃａｔｏｒ）は、ユーザがＰＳサービスとＳＭＳサービスだけを使用することを示す加入情報の一種である。ここで、ＳＭＳサービスは、ＰＳに伝送されるか、またはＣＳに伝送されることができる。
【００５９】
この際、ＨＳＳ（またはＨＬＲ）５２０が伝送するメッセージは、ユーザ加入情報をＭＭＥに渡すか、それとも、位置登録に対する応答に使用されるメッセージ（例えば、ユーザ加入情報データ挿入（Ｉｎｓｅｒｔ  Ｓｕｂｓｃｒｉｐｔｉｏｎ  Ｄａｔａ）または位置アップデート受諾（Ｌｏｃａｔｉｏｎ  Ｕｐｄａｔｅ  Ａｃｃｅｐｔ／Ｕｐｄａｔｅ  ＬｏｃａｔｉｏｎＡｃｃｅｐｔ））であることができる。
【００６０】
図５ｃは、ＳＭＳ伝送のためにＳＭＳ−ＧＭＳＣ  ５３０がＨＳＳ（またはＨＬＲ）５２０にユーザ（ＵＥ）に対するＳＭＳの受信経路を要請した場合、ＨＳＳ  ５２０が本発明の実施例によってＭＭＥ  ５１０の番号（またはアドレス）を知らせてくれる過程を示す図である。
【００６１】
ＨＳＳ  ５２０は、Ｓ５３０段階で示されたように、ＳＭＳ−ＧＭＳＣ  ５３０のＳＲＩ（Ｓｅｎｄ  Ｒｏｕｔｅ  Ｉｎｆｏｒｍａｔｉｏｎ）要請に対する応答メッセージに、ＭＭＥ番号（またはアドレス）を挿入し、ＳＭＳの伝達経路がＭＭＥ  ５１０であることをＳＭＳ−ＧＭＳＣ  ５３０に通知することができる。
【００６２】
図６は、本発明の実施例による端末の動作手順を示す流れ図である。
【００６３】
より具体的に、図６は、ＵＥが事業者網に要請した登録に対応して、ＭＭＥからＡｔｔａｃｈ／ＴＡＵ受諾メッセージを受信した場合の、当該メッセージに含まれたＬＡＩとＴＭＳＩの処理方法について示す。
【００６４】
本発明の実施例によれば、ＵＥがＳＭＳ  ｅｎａｂｌｅｄ  ＭＭＥ（または、同一の用語としてＳＭＳ  ｉｎ  ＭＭＥ）に登録した場合、前記ＵＥは、ＭＭＥからＵＥ動作に使用されないＬＡＩとＴＭＳＩを受信するようになり、本発明では、これをフェイクＬＡＩ（ｆａｋｅ  ＬＡＩ）、フェイクＴＭＳＩ（ｆａｋｅ  ＴＭＳＩ）と称することができる。これは、ＬＡＩが基本的に２Ｇ／３Ｇネットワークで位置領域（Ｌｏｃａｔｉｏｎ  Ａｒｅａ）を示すためにシステム情報の一種として放送されるものであるが、前記ＬＡＩは、実際に２Ｇ／３Ｇネットワークでシステム情報に挿入されて伝送されないからである。
【００６５】
まず、ＵＥは、Ｓ６１０段階で、ＳＭＳ  ｉｎ  ＭＭＥで動作するＭＭＥから接続／ＴＡＵ受諾メッセージを受信する。前記メッセージは、フェイクＬＡＩ及びＴＭＳＩを含むことができる。そして、ＵＥは、Ｓ６２０段階で、ユーザ移動性によって２Ｇまたは３Ｇネットワークに移動することができる。
【００６６】
その場合に、ＵＥは、Ｓ６３０段階で、当該ネットワークのＲＡＮノードが放送するシステム情報を受信するようになり、ＵＥは、前記システム情報に含まれたＬＡＩを獲得する。
【００６７】
従来のＵＥなら、自分が現在格納しているＬＡＩと現在セルから放送されるシステム情報に含まれたＬＡＩを比較し、位置アップデート必要可否を判断するようになる。しかし、本発明の実施例では、Ｓ６１０段階で、ＵＥがＭＭＥから受信したＬＡＩは、実際には使用されないｆａｋｅ  ＬＡＩであるから、実際動作する２Ｇまたは３ＧセルのＬＡＩとは異なる。
【００６８】
したがって、本発明の実施例によれば、ＵＥは、２Ｇまたは３Ｇセルに移動した場合、ＭＭＥから受信したｆａｋｅを使用せず、Ｓ６４０段階のように、無条件に位置アップデート（ｌｏｃａｔｉｏｎ  ｕｐｄａｔｅ）過程を行う。
【００６９】
図７は、本発明の一実施例によってＵＥが事業者網に位置アップデート（ＴｒａｃｋｉｎｇＡｒｅａ  Ｕｐｄａｔｅ）を試みて、ＵＥを管理するＭＭＥが変更された場合、ＵＥのパケット専用交換（ＰＳ  ｏｎｌｙ）方式の端末であるか否かとコアネットワークのＰＳ網を用いたＳＭＳ伝達機能可否によって位置更新過程を行う過程を示す流れ図である。
【００７０】
ＵＥ  ７１０は、新しい位置でサービスを受けるために、Ｓ７０１段階で、位置更新（ＴＡＵ）要請メッセージを伝送する。この過程で、ＵＥ  ７１０は、まだ新しいＭＭＥ  ７２０がＳＭＳをＰＳ網を用いて伝達することができるか否かが分からないので、従来のＣＳ網を通じてＳＭＳを受けるための登録と同一に併合位置更新（ｃｏｍｂｉｎｅｄ  ＴＡＵ）過程を行わなければならない。
【００７１】
前記位置更新メッセージは、一般的な位置更新のための情報だけでなく、追加的にＵＥ  ７１０がＰＳサービスと同時にＳＭＳサービスを受けることを希望するという情報を含むことができ、指示子（ｉｎｄｉｃａｔｏｒ）を通じてこのような情報が伝達されることができる。
【００７２】
位置更新過程で、ＭＭＥ  ７２０は、Ｓ７０３段階で、ＨＳＳ／ＨＬＲまたは従来にＵＥを管理したＭＭＥ  ７３０を通じてユーザ情報を受け、これに当該ユーザがＰＳサービスのために加入されたユーザであり、追加的にＳＭＳサービスを受けることを希望することを指示する指示子（ｉｎｄｉｃａｔｏｒ）が含まれる。
【００７３】
その場合に、ＭＭＥ  ７２０は、Ｓ７０３段階を通じて受信した支持子またはＳ７０１段階で受信した情報を利用して、当該ＵＥ  ７１０がＰＳサービスのために加入され、もしネットワークが支援したら、ＰＳ網を通じてＳＭＳを伝達しなければならないことを認知することができる。
【００７４】
そして、ＭＭＥ  ７２０は、Ｓ７０５段階で、自分がＰＳ網にＳＭＳを伝達することができる機能を具備しているか否かを判断する。もしＭＭＥ  ７２０がＰＳ網にＳＭＳを伝達することができる機能を有する場合、ＭＭＥ  ７２０は、Ｓ７０７段階で、ＳＭＳ−ＧＳＭＣのＳＭＳメッセージルーティングのためにＭＭＥ番号を割り当て、ＣＳ網に登録されるときに使用された識別子であるＴＭＳＩと位置区分子であるＬＡＩを割り当てる。そして、ＭＭＥ  ７２０は、前記登録要請メッセージを伝送した端末７１０に対するＭＳＩＳＤＮに対応するＳ−ＴＭＳＩ、ＴＭＳＩを割り当て、これを前記表１のようなマッピングテーブルを利用して格納する。前記マッピングテーブルは、登録要請メッセージを伝送するすべての端末に対して作成されることができる。
【００７５】
先立って図３で実際にＣＳ網のための情報であるＴＭＳＩとＬＡＩが使用されるために割り当てられ、ＵＥに伝達されるものとは異なって、図７で記述されるＴＭＳＩとＬＡＩは、実際にメッセージ伝達のために使用されるというよりは、端末が併合位置更新（ｃｏｍｂｉｎｅ  ＴＡＵ）を要請した場合に受信するようにあらかじめ決定された情報を与えることによって、プロトコル／具現の変化なしに新しい機能であるＳＭＳ  ｅｎａｂｌｅｄ  ＭＭＥを通じてメッセージを送受信することができるようにするものである。
【００７６】
そして、ＭＭＥ  ７２０は、Ｓ７０９段階で、前記２０３過程でメッセージルーティングが可能になるように割り当てたＭＭＥ番号をＨＳＳ／ＨＬＲ  ７４０に登録する。この際、ＭＭＥ  ７２０がＨＳＳ／ＨＬＲ  ７４０と行うユーザ登録過程は、ＭＭＥ  ７２０とＨＳＳ／ＨＬＲ  ７４０との間のｉｎｔｅｒｆａｃｅ  ＳＭＳ２（図２参照）を通じて直接行われる。
【００７７】
その後、ＭＭＥ  ７２０は、Ｓ７１１段階で、ＵＥ  ７１０に位置更新受諾メッセージ（ＴＡＵ  Ａｃｃｅｐｔ）を伝送し、位置更新要請が成功したことを通知し、この際、ＭＭＥ  ７２０が割り当てたＴＭＳＩとＬＡＩを一緒に伝達する。
【００７８】
図８は、本発明の実施例による移動性管理エンティティーの内部構造を示すブロック図である。図８で示されたように、本発明の移動性管理エンティティーは、インターフェース部８１０、格納部８２０及び制御部８３０を含むことができる。
【００７９】
インターフェース部８１０は、無線通信ネットワークに位置する各ノードと信号を送受信するための有線または無線手段を提供する。本発明の実施例によれば、前記インターフェース部８１０は、有線インターフェースであることができるが、必ずこれに限定されるものではない。
【００８０】
格納部８２０は、移動性管理エンティティーの動作のために必要なプログラムを格納することができる。また、本発明の実施例によれば、前記格納部８２０は、ＨＳＳから伝送される各端末に対するユーザ加入情報を受信して格納することができる。移動性管理エンティティーは、前記ユーザ加入情報に基盤して、当該ユーザがＰＳサービスのために加入されたユーザであり、追加的にＳＭＳサービスを受けることができることを確認することができる。
【００８１】
制御部８３０は、移動性管理エンティティーの動作のために各ブロック間の信号フローを制御する。具体的に、本発明の実施例による制御部８３０は、ルーティング判断部８３１をさらに具備することができる。
【００８２】
ルーティング判断部８３１は、ＨＳＳから端末に対するユーザ加入情報を受信し、前記移動性管理エンティティーが前記端末に対する短文メッセージをパケット交換網を通じて伝達することができるか否かを判断する。そして、ルーティング判断部８３１は、伝達可能時に、前記短文メッセージを前記移動性管理エンティティーにルーティングさせるための情報を含む登録メッセージを前記ＨＳＳに伝送するように制御する。
【００８３】
一方、制御部８３０は、移動性管理エンティティーが短文メッセージをパケット交換網を通じて伝達することができ、前記端末がパケット交換サービスのために加入され、パケット交換網を通じて短文メッセージを提供される場合、前記端末に対する端末識別子及び位置区分識別子を割り当てる。そして、制御部８３０は、前記割り当てられた端末識別子と位置区分識別子を前記端末に伝送するように制御することができる。この場合、前記位置区分識別子は、前記端末の位置情報アップデートに使用されないことを特徴とする。
【００８４】
また、制御部８３０は、前記端末からトラッキング領域アップデートメッセージ受信時に、前記トラッキング領域アップデートに対応して前記端末を管理する移動性管理エンティティーが変更されなければならないか否かを判断する。そして、変更必要時に、前記制御部８３０は、前記端末を管理する新規移動性管理エンティティーに前記端末に対するユーザ加入情報を伝送するように制御することができる。
【００８５】
図９は、本発明の実施例によるホーム加入者サーバー（Ｈｏｍｅ  Ｓｕｂｓｃｒｉｂｅｒ  Ｓｅｒｖｅｒ、ＨＳＳ）の内部構造を示すブロック図である。前記ＨＳＳは、インターフェース部９１０、格納部９２０及び制御部９３０を含むことができる。
【００８６】
インターフェース部９１０は、無線通信ネットワークに位置する各ノードと信号を送受信するための有線または無線手段を提供する。本発明の実施例によれば、前記インターフェース部９１０は、有線インターフェースであることができるが、必ずこれに限定されるものではない。
【００８７】
格納部９２０は、ＨＳＳの動作のために必要なプログラムを格納することができる。また、本発明の実施例によれば、前記格納部９２０は、各端末に対する加入者情報を格納するユーザ加入情報格納領域９２１を具備することができる。前記加入者情報は、各端末がＰＳサービスとＳＭＳサービスに加入したか、またはＳＭＳをＰＳ網を通じて受信することが許容されるかに対する情報を含むことができる。
【００８８】
制御部９３０は、ＨＳＳの動作のために各ブロック間の信号フローを制御する。
【００８９】
前記制御部９３０は、ＭＭＥに、任意の端末に対するユーザ加入情報を伝送することができる。また、前記制御部９３０は、前記端末に対する短文メッセージをＭＭＥにルーティングさせるための情報を含む登録メッセージをＭＭＥから受信すれば、前記端末に対する短文メッセージを当該ＭＭＥにルーティングさせるように設定する。
【００９０】
そして、短文メッセージ伝送処理部９３１は、短文メッセージゲートウェイから前記端末に対する短文メッセージのルーティング情報を要請するための要請メッセージを受信すれば、前記端末に対する短文メッセージをルーティングする移動性管理エンティティーに対する情報を前記短文メッセージゲートウェイに伝送するように制御する。
【００９１】
図１０は、本発明の実施例による端末の内部構造を示すブロック図である。図１０に示されたように、本発明の端末は、無線通信部１０１０、格納部１０２０及び制御部１０３０を含むことができる。
【００９２】
無線通信部１０１０は、無線通信ネットワークに位置する任意のノードと無線通信を行い、信号を送受信する。
【００９３】
格納部１０２０は、端末の動作に必要なプログラムを格納する。
【００９４】
制御部１０３０は、本発明の実施例による端末の動作のために各ブロック間の信号フローを制御する。特に、前記制御部１０３０は、登録要請メッセージを移動性管理エンティティーに伝送し、前記移動性管理エンティティーが前記端末に対する短文メッセージをパケット交換網を通じて伝達することができる場合、前記移動性管理エンティティーから端末識別子と位置区分識別子を含む登録要請応答メッセージを受信する一連の過程を制御することができる。
【００９５】
また、本発明の実施例による制御部１０３０は、位置情報アップデート部１０３１をさらに具備することができ、前記位置情報アップデート部１０３１は、前記端末が任意のネットワークに移動するとき、前記移動したネットワークから放送されるシステム情報を受信し、前記システム情報に含まれた位置区分識別子を利用して位置アップデートを行うように制御することができる。この場合、前記移動性管理エンティティーから受信した端末識別子と位置区分識別子は、前記移動したネットワークでは使用されないことを特徴とする。
【００９６】
一方、前記では、各ノードの内部構造を説明するに際して、制御部と他の機能実行部を別途のブロックで構成し、異なる機能を行うものと記載したが、必ずこのような制限に拘束される必要はない。例えば、端末の場合、位置情報アップデート部１０３１が行う機能を制御部１０３０自体が行うことができることに留意しなければならない。
【００９７】
前述した本発明の実施例によれば、事業者ＰＳ網は、ＣＳ網ノードのヘルプなしにユーザ端末にＳＭＳを効率的に伝達することができる。
【００９８】
本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であるということは、本発明の属する技術分野における通常の知識を有する者に自明である。
【図１】
0006414885.tif 000003
【図２】
0006414885.tif 000004
【図３】
0006414885.tif 000005
【図４】
0006414885.tif 000006
【図５Ａ】
0006414885.tif 000007
【図５Ｂ】
0006414885.tif 000008
【図５Ｃ】
0006414885.tif 000009
【図６】
0006414885.tif 000010
【図７】
0006414885.tif 000011
【図８】
0006414885.tif 000012
【図９】
0006414885.tif 000013
【図１０】
0006414885.tif 000014